(57)【要約】【課題】簡単に記録媒体の搬送速度を変更することができる搬送装置を提供する【解決手段】高速搬送ベルト１２Ａ、１２Ｂの上側には、保持板１６Ａ、１６Ｂが配置され、低速搬送ベルト１４の上側には、保持板１８が配置されている。保持板１６Ａ、１６Ｂ、及び、保持板１８には、円形の配置孔１７、１９が形成されている。配置孔１９は、搬送方向Ｘの上流側の配置孔１７から記録媒体Ｓの幅分よりも僅かに短い距離分離間して板幅方向に２箇所形成され、搬送方向Ｘの下流側の配置孔１７からも記録媒体Ｓの幅分よりも僅かに短い距離分離間して２箇所形成されている。搬送方向Ｘの上流側の配置孔１９と下流側の配置孔１９とは、互いに記録媒体Ｓの幅よりも狭い間隔で形成されていると共に、通信領域Ｅの上流側端部及び下流側端部とほぼ一致した位置に配置されている。配置孔１７内にはボール２１が配置され、配置孔１９内にはボール２１が配置されている。【選択図】図１
2007217095.tif 000002
【特許請求の範囲】
【請求項１】
搬送路に沿って配置され、記録媒体を搬送する第１搬送ベルトと、
前記第１搬送ベルトと平行に配置され、前記第１搬送ベルトよりも遅い速度で前記記録媒体を搬送する第２搬送ベルトと、
前記第１搬送ベルト上に配置され、自重により前記記録媒体を前記第１搬送ベルトへ押圧可能であると共に無指向に回転可能とされた第１押圧部材と、
前記第２搬送ベルト上に配置され、自重により前記記録媒体を前記第２搬送ベルトへ押圧可能であると共に無指向に回転可能とされた第２押圧部材と、
前記第１搬送ベルトでの搬送を行う高速搬送領域では、前記第１押圧部材により前記記録媒体を前記第１搬送ベルトへ押圧すると共に前記第２押圧部材を前記記録媒体と非接触とし、前記第２搬送ベルトでの搬送を行う低速搬送領域では、前記第２押圧部材により前記記録媒体を前記第２搬送ベルトへ押圧すると共に前記第１押圧部材を前記記録媒体と非接触とする、速度変更手段と、
を備えた搬送装置。
【請求項２】
前記速度変更手段は、前記高速搬送領域に前記第１押圧部材を配置すると共に、前記低速搬送領域に前記第２押圧部材を配置すること、を特徴とする請求項１に記載の搬送装置。
【請求項３】
前記第１押圧部材及び前記第２押圧部材を上下動させて、前記記録媒体を押圧する押圧位置と前記記録媒体と非接触となる非接触位置との間で移動させる上下動手段を備え、
前記速度変更手段は、前記高速搬送領域において前記第１押圧部材を前記押圧位置に配置すると共に前記第２押圧部材を前記非接触位置に配置し、前記低速搬送領域において前記第２押圧部材を前記押圧位置に配置すると共に前記第１押圧部材を前記非接触位置に配置すること、を特徴とする請求項１に記載の搬送装置。
【請求項４】
前記第１搬送ベルトまたは前記第２搬送ベルトは、搬送方向を逆方向に転換可能とされていること、を特徴とする請求項１乃至請求項３のいずれか１項に記載の搬送装置。
【請求項５】
前記記録媒体はＩＣタグを搭載し、前記低速搬送領域は前記ＩＣタグとこのＩＣタグのリーダ/ライタとの通信が行われる通信可能領域であり、前記高速搬送領域は前記ＩＣタグとの通信が行われない非通信領域であること、を特徴とする請求項１乃至請求項４のいずれか１項に記載の搬送装置。
【請求項６】
前記第１押圧部材及び第２押圧部材が、球体のボールであることを特徴とする請求項１乃至請求項５のいずれか１項に記載の搬送装置。
【発明の詳細な説明】
【技術分野】
【０００１】
本発明は、ＩＣタグ（ＲＦ-ＩＤタグ）を搭載する記録媒体を搬送する搬送装置に関するものである。
【背景技術】
【０００２】
近年、非接触で情報を送受信可能なＲＦ-ＩＤ（Radio Frequency Identification）システムが開発されている。このＲＦ-ＩＤシステムは、電子回路を搭載し情報を保持するＩＣタグ（ＲＦ-ＩＤタグ）とＩＣタグをコントロールするリーダ/ライタとから構成される。このＲＦ-ＩＤシステムにおいては、ＩＣタグへのデータの書込み、ＩＣタグに記録されているデータの読み出しなどが非接触で可能とされ、様々な分野で活用されている。
【０００３】
その１つとして、ＩＣタグを紙などの記録媒体に搭載し、データの読み込み／書き込みを行うと共に、記録媒体への画像形成など他の作業を行うことが知られている（特許文献１参照）。この場合には、これらの作業を別々の装置で分担するのではなく、画像形成装置にＩＣタグとの通信を行うためのアンテナを搭載し、ＩＣタグとのデータ通信と、記録媒体への画像形成とが、１つの装置内で行われる。
【０００４】
ところで、前述のような装置内には、ＩＣタグを搭載した記録媒体を搬送する搬送装置が備えられる。ＩＣタグとの通信時には、データの読み込み／書き込みの精度を上げるために、搬送速度は遅い方が好ましいが、その他の搬送時には、通信時ほど遅い搬送速度である必要はない。
【０００５】
そこで、データの読み込み／書き込みの精度を上げつつ、作業のスループットの低下を抑制するために、特許文献１に記載の技術では、搬送ベルトの搬送速度を制御して、記録媒体を最適な搬送速度により実現している。
【特許文献１】特開２００３−１４０５４８号公報
【発明の開示】
【発明が解決しようとする課題】
【０００６】
しかしながら、搬送ベルトの搬送速度を速めたり遅くしたりするためには、複雑な制御が必要となる。
【０００７】
本発明は、上記課題を解決するためになされたもので、その目的とするところは、簡単に記録媒体の搬送速度を変更することができる搬送装置を提供することにある。
【課題を解決するための手段】
【０００８】
上記問題点を解決するために、請求項１に記載の搬送装置は、搬送路に沿って配置され、記録媒体を搬送する第１搬送ベルトと、前記第１搬送ベルトと平行に配置され、前記第１搬送ベルトよりも遅い速度で前記記録媒体を搬送する第２搬送ベルトと、前記第１搬送ベルト上に配置され、自重により前記記録媒体を前記第１搬送ベルトへ押圧可能であると共に無指向に回転可能とされた第１押圧部材と、前記第２搬送ベルト上に配置され、自重により前記記録媒体を前記第２搬送ベルトへ押圧可能であると共に無指向に回転可能とされた第２押圧部材と、前記第１搬送ベルトでの搬送を行う高速搬送領域では、前記第１押圧部材により前記記録媒体を前記第１搬送ベルトへ押圧すると共に前記第２押圧部材を前記記録媒体と非接触とし、前記第２搬送ベルトでの搬送を行う低速搬送領域では、前記第２押圧部材により前記記録媒体を前記第２搬送ベルトへ押圧すると共に前記第１押圧部材を前記記録媒体と非接触とする、速度変更手段と、を備えている。
【０００９】
上記構成の搬送装置では、搬送速度の異なる第１搬送ベルトと第２搬送ベルトが平行に配置されている。記録媒体は、第１押圧部材の自重により第１搬送ベルトへ押圧可能とされ、第２押圧部材の自重により第２搬送ベルトへ押圧可能とされている。そして、速度変更手段により、高速搬送領域では第１押圧部材により記録媒体を第１搬送ベルトへ押圧すると共に第２押圧部材を記録媒体と非接触として第１搬送ベルトで記録媒体を搬送する。また、低速搬送領域では、第２押圧部材により記録媒体を第２搬送ベルトへ押圧すると共に第１押圧部材を記録媒体と非接触として第２搬送ベルトで記録媒体を搬送する。
【００１０】
上記構成によれば、第１押圧部材での記録媒体の押圧と、第２押圧部材での記録媒体の押圧とを切り換えることにより、簡単に記録媒体の搬送速度を変更することができる。
【００１１】
なお、本発明は、請求項２に記載のように、前記速度変更手段が、前記高速搬送領域に前記第１押圧部材を配置すると共に、前記低速搬送領域に前記第２押圧部材を配置すること、を特徴とすることができる。
【００１２】
上記構成によれば、簡単な構成で、高速搬送領域において第１押圧部材によって記録媒体を押圧し、低速搬送領域において第２押圧部材によって記録媒体を押圧することができる。
【００１３】
また、本発明は、請求項３に記載のように、前記第１押圧部材及び前記第２押圧部材を上下動させて、前記記録媒体を押圧する押圧位置と前記記録媒体と非接触となる非接触位置との間で移動させる上下動手段を備え、前記速度変更手段は、前記高速搬送領域において前記第１押圧部材を前記押圧位置に配置すると共に前記第２押圧部材を前記非接触位置に配置し、前記低速搬送領域において前記第２押圧部材を前記押圧位置に配置すると共に前記第１押圧部材を前記非接触位置に配置すること、を特徴とすることができる。
【００１４】
上記構成によれば、上下動手段により第１押圧部材及び第２押圧部材を上下動させることにより、高速搬送領域において第１押圧部材によって記録媒体を押圧し、低速搬送領域において第２押圧部材によって記録媒体を押圧することができる。
【００１５】
また、本発明は、請求項４に記載のように、前記第１搬送ベルトまたは前記第２搬送ベルトが、搬送方向を逆方向に転換可能とされていること、を特徴とすることができる。
【００１６】
上記のように、搬送ベルトを逆方向に進行させることにより、記録媒体を特定領域へ複数回通過させることができる。
【００１７】
また、本発明は、請求項５に記載のように、前記記録媒体はＩＣタグを搭載し、前記低速搬送領域は前記ＩＣタグとこのＩＣタグのリーダ/ライタとの通信が行われる通信可能領域であり、前記高速搬送領域は前記ＩＣタグとの通信が行われない非通信領域であること、を特徴とする。
【００１８】
ＩＣタグの読み込み、ＩＣタグへの書き込みの際には、精度よく読み書きを行うために搬送速度を低速とし、その他の領域ではスループットを上げるために搬送速度を高速とすることが好ましく、上記構成の搬送装置を好適に用いることができる。
【００１９】
また、本発明の前記第１押圧部材及び第２押圧部材は、請求項６に記載のように、球体のボールとすることもできる。
【００２０】
このように、ボールを用いることにより、容易に無指向に回転可能な第１押圧部材、第２押圧部材を構成することができる。
【発明の効果】
【００２１】
本発明によれば、簡単に記録媒体の搬送速度を変更することができる。
【発明を実施するための最良の形態】
【００２２】
［第１実施形態］
以下、本発明の搬送装置の第１実施形態を図面に基づいて説明する。
【００２３】
図１は本実施形態に係る搬送装置１０の構成を示す概略斜視図であり、図２はこれを上面から見た上面図である。搬送装置１０は、ＩＣタグ３２の搭載された記録媒体Ｓを、ＩＣタグとの通信を行うリーダ／ライタ３０付近を搬送路に沿って搬送するものであり、画像形成装置などに内蔵されている。
【００２４】
搬送装置１０は、高速搬送ベルト１２Ａ、１２Ｂ、低速搬送ベルト１４、保持板１６Ａ、１６Ｂ、保持板１８、及び、ボール２０、２１を備えている。
【００２５】
高速搬送ベルト１２Ａ、１２Ｂ、及び、低速搬送ベルト１４は、搬送路Ｗに沿って互いに平行に配置され、高速搬送ベルト１２Ａと高速搬送ベルト１２Ｂの間に低速搬送ベルト１４が挟み込まれる並びとされている。高速搬送ベルト１２Ａ、１２Ｂ、及び、低速搬送ベルト１４は、各々２つのプーリー１１Ａ、１１Ｂに架け渡された無端ベルトで構成されている。高速搬送ベルト１２Ａと高速搬送ベルト１２Ｂは、同速度で駆動され、低速搬送ベルト１４は、高速搬送ベルト１２Ａ、１２Ｂよりも遅い速度で駆動されている。低速搬送ベルト１４の駆動速度は、後述するリーダ／ライタ３０と記録媒体Ｓに搭載されたＩＣタグ３２との間での高精度な通信が可能な程度の速度とされている。
【００２６】
高速搬送ベルト１２Ａ、１２Ｂの上側には、保持板１６Ａ、１６Ｂが各々配置されている。保持板１６Ａ、１６Ｂは、長尺とされ、高速搬送ベルト１２Ａ、１２Ｂと所定距離だけ離間して対向するようにして、高速搬送ベルト１２Ａ、１２Ｂに沿って配置されている。
【００２７】
保持板１６Ａの中央部分上側には、リーダ／ライタ３０が設けられている。リーダ／ライタ３０は、アンテナ、各種回路、コントローラーなどを含んで構成され、画像形成装置の図示しない制御部と接続されている。リーダ／ライタ３０は、ＩＣタグ３２と通信を行い、ＩＣタグ３２に記録されているデータの読み込み、ＩＣタグ３２へのデータの書き込みを行う。リーダ／ライタ３０は、ＩＣタグ３２が図２に示す通信領域Ｅ内を搬送されている際に、ＩＣタグ３２との通信を行うことができる。すなわち、通信領域Ｅは、リーダ／ライタ３０とＩＣタグ３２との通信可能領域である。
【００２８】
保持板１６Ａ、１６Ｂには、円形の配置孔１７が形成されている。配置孔１７は、長尺方向の両端辺に２箇所ずつ形成されている。各配置孔１７内には、ボール２０が配置されている。
【００２９】
ボール２０は、球体とされ、配置孔１７よりも僅かに小さい直径とされ、図３にも示すように、高速搬送ベルト１２Ａ、１２Ｂ側に露出されている。ボール２０は、高速搬送ベルト１２Ａ、１２Ｂ上に載置された記録媒体Ｓを、自重によって高速搬送ベルト１２Ａ、１２Ｂ側へ押圧する。また、ボール２０は、自由に（無指向に）回転可能とされている。なお、ボール２０は、リーダ／ライタ３０と後述するＩＣタグ３２との間の通信を妨げないように、金属以外の材料、例えば、ガラスやプラスチックなどで構成されたものであることが好ましい。
【００３０】
低速搬送ベルト１４の上側には、保持板１８が配置されている。保持板１８は、長尺とされ、低速搬送ベルト１４と所定距離だけ離間して対向するようにして低速搬送ベルト１４に沿って配置されている。保持板１８には、円形の配置孔１９が形成されている。配置孔１９は、搬送方向Ｘの上流側の配置孔１７から記録媒体Ｓの幅分よりも僅かに短い距離分離間して板幅方向に２箇所形成され、搬送方向Ｘの下流側の配置孔１７からも記録媒体Ｓの幅分よりも僅かに短い距離分離間して２箇所形成されている。搬送方向Ｘの上流側の配置孔１９と下流側の配置孔１９とは、互いに記録媒体Ｓの幅よりも狭い間隔で形成されていると共に、通信領域Ｅの上流側端部及び下流側端部とほぼ一致した位置に配置されている。各配置孔１９内には、ボール２１が配置されている。
【００３１】
ボール２１は、ボール２０と同形状とされ、図４にも示すように、低速搬送ベルト１４側に露出されている。ボール２１は、低速搬送ベルト１４上に載置された記録媒体Ｓを、自重によって低速搬送ベルト１４側へ押圧する。また、ボール２１は、自由に（無指向に）回転可能とされている。ボール２１についても、リーダ／ライタ３０とＩＣタグ３２との間の通信を妨げないように、金属以外の材料、例えば、ガラスやプラスチックなどで構成されたものであることが好ましい。
【００３２】
次に、上記構成の搬送装置１０での搬送動作について説明する。
【００３３】
搬送装置１０のプーリー１１Ａ、１１Ｂは、図示しない駆動手段によって矢印Ｙ方向に回転駆動され、これにより高速搬送ベルト１２Ａ、１２Ｂが高速で、低速搬送ベルト１４が低速で搬送方向Ｘへ回転する。記録媒体Ｓは、搬送方向Ｘの上流側から、高速搬送ベルト１２Ａ、１２Ｂ、及び、低速搬送ベルト１４上に送り込まれ、ボール２０により高速搬送ベルト１２Ａ、１２Ｂへ押圧される（図５（Ａ）参照）。一方、この位置では、記録媒体Ｓはボール２１により押圧されていない。これにより、記録媒体Ｓには高速搬送ベルト１２Ａ、１２Ｂの搬送力が作用して、高速搬送ベルト１２Ａ、１２Ｂの搬送速度で搬送方向Ｘへ搬送される。
【００３４】
記録媒体Ｓが通信領域Ｅに進入すると、ボール２１により低速搬送ベルト１４へ押圧される（図５（Ｂ）参照）。一方、記録媒体Ｓを押圧していたボール２０は、この位置では記録媒体Ｓから離れる。これにより、記録媒体Ｓには低速搬送ベルト１４の搬送力が作用して、低速搬送ベルト１４の搬送速度で搬送方向Ｘへ搬送される。
【００３５】
そして、記録媒体Ｓが通信領域Ｅよりも下流側へ進んで通信領域Ｅの外側に出ると、ボール２０により再び高速搬送ベルト１２Ａ、１２Ｂへ押圧される（図５（Ｃ）参照）。一方、記録媒体Ｓを押圧していたボール２１は、この位置では記録媒体Ｓから離れる。これにより、記録媒体Ｓは、高速搬送ベルト１２Ａ、１２Ｂの搬送速度で搬送方向Ｘへ搬送される。
【００３６】
リーダ／ライタ３０とＩＣタグ３２との通信は、ＩＣタグ３２が通信領域Ｅを通過中に行われる。通信領域Ｅでは、記録媒体Ｓは低速搬送ベルト１４の搬送速度で搬送されるので、リーダ／ライタ３０とＩＣタグ３２との通信も、低速搬送ベルト１４により搬送されながら、すなわち、低速搬送中に行われる。したがって、精度の高い読み込み、書き込みを行うことができる。また、記録媒体Ｓが通信領域Ｅよりも上流側、下流側を搬送される際には、高速搬送ベルト１２Ａ、１２Ｂの搬送速度で搬送される。したがって、搬送速度を速めることができ、処理のスループットを短縮することができる。
【００３７】
また、上記構成の搬送装置１０によれば、高速搬送ベルト１２Ａ、１２Ｂ、低速搬送ベルト１４を設け、ボール２０、２１を各々の搬送ベルト上の通信領域Ｅ内と通信領域Ｅ外に設ける構成とすることにより、簡単に記録媒体Ｓの搬送速度を変更できる。
【００３８】
［第２実施形態］
次に、本発明の第２実施形態について説明する。本実施形態については、第１実施形態と同様の部分については同一の符号を付して、詳細な説明は省略する。
【００３９】
図６は本実施形態に係る搬送装置４０の構成を示す概略斜視図であり、図７はこれを上面から見た上面図である。搬送装置４０は、高速搬送ベルト１２Ａ、１２Ｂ、低速搬送ベルト１４、保持板１６Ａ、１６Ｂ、保持板１８、スライド板４２Ａ、４２Ｂ、スライド板４４、駆動装置４６、及び、ボール２０、２１を備えている。高速搬送ベルト１２Ａ、１２Ｂ、低速搬送ベルト１４、保持板１６Ａ、１６Ｂ、保持板１８の構成は第１実施形態と同様である。
保持板１６Ａ、１６Ｂには、配置孔１７と同形状の配置孔４７が形成されている。配置孔４７は、記録媒体Ｓの搬送方向Ｘの長さ程度の間隔で、板幅方向に２箇所ずつ形成されており、保持板１６Ａに合計８箇所、保持板１６Ａにも合計８箇所形成されている。各配置孔４７には、ボール２０が配置されている。保持板１６Ａの中央部上側には、リーダ／ライタ３０が設けられ、図２にも示すように、通信領域Ｅが構成されている。
【００４０】
保持板１６Ａ、１６Ｂの下側には、スライド板４２Ａ、４２Ｂが配置され、保持板１８の下側には、スライド板４４が配置されている。スライド板４２Ａ、４２Ｂ、及び、スライド板４４は、図７にも示すように、搬送方向Ｘ上流側の一端部が駆動装置４６に連結されている。スライド板４２Ａ、４２Ｂ、及び、スライド板４４は、長尺方向に沿って移動可能とされており、駆動装置４６によってスライド移動される。駆動装置４６は、ソレノイドなどで構成することができる。
【００４１】
スライド板４２Ａ、４２Ｂ、及び、スライド板４４には、配置孔４７、１９に対応する位置に移動孔４８が構成されている（図８参照）。移動孔４８は、配置孔４７、１９と同一径とされている。スライド板４２Ａ、４２Ｂ、及び、スライド板４４の移動により、移動孔４８は移動し、配置孔４７、１９の下側の開口サイズが小さくなり、ボール２０、２１が持ち上げられて記録媒体Ｓと非接触となる。
【００４２】
リーダ／ライタ３０は、図示しない制御部に接続されると共に、駆動装置４６と接続されている。リーダ／ライタ３０とＩＣタグ３２との通信が開始されると、駆動装置４６へ低速搬送信号Ｓ１が出力され、リーダ／ライタ３０とＩＣタグ３２との通信が終了すると、駆動装置４６へ高速搬送信号Ｓ２が出力される。駆動装置４６は、低速搬送信号Ｓ１が入力されると、スライド板４２Ａ、４２Ｂをスライドさせてボール２０を記録媒体Ｓと離間させると共に、スライド板４４を配置孔１９と移動孔４８とが一致する位置に配置し（図８（Ｂ）参照）、高速搬送信号Ｓ２が入力されると、スライド板４４をスライドさせてボール２１を記録媒体Ｓと離間させると共に、スライド板４２Ａ、４２Ｂを配置孔４７と移動孔４８とが一致する位置に配置する（（図８（Ａ）参照）。なお、低速搬送信号Ｓ１の入力時以外には、スライド板４４はボール２１を記録媒体Ｓから離間させる位置にスライドされた状態とされている。
【００４３】
次に、上記構成の搬送装置４０での搬送動作について説明する。
【００４４】
搬送装置４０のプーリー１１Ａ、１１Ｂは、図示しない駆動手段によって矢印Ｙ方向に回転駆動され、これにより高速搬送ベルト１２Ａ、１２Ｂが高速で、低速搬送ベルト１４が低速で搬送方向Ｘへ回転する。記録媒体Ｓは、搬送方向Ｘの上流側から、高速搬送ベルト１２Ａ、１２Ｂ、及び、低速搬送ベルト１４上に送り込まれ、ボール２０により高速搬送ベルト１２Ａ、１２Ｂへ押圧される（図９（Ａ）参照）。一方、この位置では、記録媒体Ｓはボール２１により押圧されていない。これにより、記録媒体Ｓには高速搬送ベルト１２Ａ、１２Ｂの搬送力が作用して、高速搬送ベルト１２Ａ、１２Ｂの搬送速度で搬送方向Ｘへ搬送される。
【００４５】
ＩＣタグ３２が通信領域Ｅに進入すると、リーダ／ライタ３０とＩＣタグ３２との通信が開始され、駆動装置４６へ低速搬送信号Ｓ１が出力される。これにより、スライド板４２Ａ、４２Ｂがスライドされてボール２０は記録媒体Ｓと非接触となる。また、スライド板４４が配置孔１９と移動孔４８とが一致する位置に配置されて、ボール２１は記録媒体Ｓを低速搬送ベルト１４へ押圧する（図９（Ｂ）参照）。これにより、記録媒体Ｓには低速搬送ベルト１４の搬送力が作用して、低速搬送ベルト１４の搬送速度で搬送方向Ｘへ搬送される。
【００４６】
そして、ＩＣタグ３２が通信領域Ｅよりも下流側へ進んで通信領域Ｅの外側に出ると、リーダ／ライタ３０とＩＣタグ３２との間の通信が終了し、駆動装置４６へ高速搬送信号Ｓ２が出力される。これにより、スライド板４４がスライドされてボール２１は記録媒体Ｓと非接触となる。また、スライド板４２Ａ、４２Ｂが配置孔４７と移動孔４８とが一致する位置に配置されて、ボール２０は記録媒体Ｓを高速搬送ベルト１２Ａ、１２Ｂへ押圧する（図９（Ｃ）参照）。これにより、記録媒体Ｓには高速搬送ベルト１２Ａ、１２Ｂの搬送力が作用して、高速搬送ベルト１２Ａ、１２Ｂの搬送速度で搬送方向Ｘへ搬送される。
【００４７】
本実施形態の搬送装置４０によれば、ボール２０、２１の上下動という簡単な制御により、記録媒体Ｓの搬送速度の制御を行うことができる。そして、リーダ／ライタ３０とＩＣタグ３２との通信が開始されると、記録媒体Ｓは低速で搬送され、リーダ／ライタ３０とＩＣタグ３２との通信が終了すると、記録媒体Ｓは高速で搬送されるので、精度の高い読み込み、書き込みを行うことができると共に、処理のスループットも短縮することができる。
【００４８】
なお、本実施形態では、低速搬送ベルト１４を低速で搬送方向Ｘに回転させているが、低速搬送ベルト１４は搬送速度０、すなわち停止させた状態でもよい。この場合には、ＩＣタグ３２がリーダ／ライタ３０と最も接近する位置に搬送されたときに、リーダ／ライタ３０から駆動装置４６へ停止信号Ｓ３を出力する。この停止信号Ｓ３を受けて、駆動装置４６がスライド板４２Ａ、４２Ｂがスライドさせ、ボール２０は記録媒体Ｓと非接触となる。また、スライド板４４は配置孔１９と移動孔４８とが一致する位置に配置されて、ボール２１は記録媒体Ｓを停止している低速搬送ベルト１４へ押圧する。これにより、記録媒体Ｓは停止する。ＩＣタグ３２との必要な通信が終了したら、リーダ／ライタ３０は駆動装置４６へ高速搬送信号Ｓ２を出力する。これにより、スライド板４４がスライドされてボール２１は記録媒体Ｓと非接触となる。また、スライド板４２Ａ、４２Ｂが配置孔４７と移動孔４８とが一致する位置に配置されて、ボール２０は記録媒体Ｓを高速搬送ベルト１２Ａ、１２Ｂへ押圧する。これにより、記録媒体Ｓには高速搬送ベルト１２Ａ、１２Ｂの搬送力が作用して、高速搬送ベルト１２Ａ、１２Ｂの搬送速度で搬送方向Ｘへ搬送される。
【００４９】
また、高速搬送ベルト１２Ａ、１２Ｂ、低速搬送ベルト１４を逆送可能とし、リーダ／ライタ３０での読み込み／書き込みに失敗した場合には、搬送方向Ｘ上流側へ記録媒体Ｓを戻して、再送してもよい。例えば、低速搬送ベルト１４を逆送させる場合には、図１０に示すように、通信領域Ｅ内を搬送方向Ｘへ搬送中に読み込みに失敗した場合には、ボール２１で記録媒体Ｓを押圧した状態で低速搬送ベルト１４を搬送方向Ｘと逆方向Ｚへ回転させればよい。
【００５０】
また、記録媒体Ｓを押圧するボール２０、２１を選択することにより、図１１（Ａ）に示すような記録媒体Ｓの傾きを補正することができる。例えば、図１１（Ａ）のように記録媒体Ｓが傾いている場合には、図１１（Ｂ）に示すように、ボール２０Ａを記録媒体Ｓと非接触とすることにより、搬送方向Ｘへ搬送しつつ、傾きを補正することができる。
【００５１】
また、第１実施形態、第２実施形態では、３本の搬送ベルトを使用した例について説明したが、搬送ベルトは２本でも、４本以上でもよい。
【００５２】
また、第１実施形態、第２実施形態では、ＩＣタグ３２とリーダ／ライタ３０との通信のために搬送速度を変更した例について説明したが、その他の処理、例えば、高解像度での画像形成、読取などの際に搬送速度の変更が必要な場合にも適用することができる。
【図面の簡単な説明】
【００５３】
【図１】本発明の第１実施形態に係る搬送装置を示す概略斜視図である。
【図２】本発明の第１実施形態に係る搬送装置を示す概略上面図である。
【図３】図１のＡ−Ａの断面図である。
【図４】図１のＢ−Ｂの断面図である。
【図５】本発明の第１実施形態に係る搬送装置の搬送動作を示す概略上面図である。
【図６】本発明の第２実施形態に係る搬送装置を示す概略斜視図である。
【図７】本発明の第２実施形態に係る搬送装置を示す概略上面図である。
【図８】図６のＡ−Ａの断面図である。
【図９】本発明の第２実施形態に係る搬送装置の搬送動作を示す概略上面図である。
【図１０】本発明の第２実施形態に係る搬送装置の他の搬送動作を示す概略上面図である。
【図１１】本発明の第２実施形態に係る搬送装置の他の搬送動作を示す概略上面図である。
【符号の説明】
【００５４】
１０  搬送装置
１２Ａ      高速搬送ベルト
１２Ｂ      高速搬送ベルト
１４  低速搬送ベルト
１６Ａ      保持板
１７  配置孔
１８  保持板
１９  配置孔
２０  ボール
２１  ボール
３０  リーダ／ライタ
３２  ＩＣタグ
４０  搬送装置
４２Ａ      スライド板
４４  スライド板
４６  駆動装置
４７  配置孔
４８  移動孔
Ｅ    通信領域
Ｗ    搬送路
Ｘ    搬送方向
【図１】
2007217095.tif 000003
【図２】
2007217095.tif 000004
【図３】
2007217095.tif 000005
【図４】
2007217095.tif 000006
【図５】
2007217095.tif 000007
【図６】
2007217095.tif 000008
【図７】
2007217095.tif 000009
【図８】
2007217095.tif 000010
【図９】
2007217095.tif 000011
【図１０】
2007217095.tif 000012
【図１１】
2007217095.tif 000013